(57)【要約】      （修正有）【課題】タブの振動にもドアやトップカバー外形が損傷されない衣類処理装置を提供する。【解決手段】一側面が開口されたキャビネットと、引き出し可能に配置され上側が開口されたドロワーの内部に配置されたタブ１７０と、ドラム２１０と、タブの開口された上部面を開閉するドア１９０と、ドロワーの開口された上側をカバーしドアの外周に沿って一定間隔で離隔して配置されるトップカバー１４０と、トップカバーとドアの接触を防止するようにタブ又はタブと対向する構成に配置された緩衝部３００とを備えたことにより、ドアとトップカバーが接触される前に緩衝部がタブまたはタブに対向する構成と当接し、ドアとトップカバーとの間で発生する接触を防止する。【選択図】図９
2019118823.tif 000002
【特許請求の範囲】
【請求項１】
衣類処理装置であって、
外形を形成し、一側面が開口されたキャビネットと、
前記キャビネットの開口された一側面に引き出し可能に配置され、上側が開口されたドロワーと、
前記ドロワーの内部に配置されて、洗濯水が貯蔵される空間を設けるタブと、
前記タブの内部に回転可能に備えられるドラムと、
前記タブの開口された上部面を開閉するドアと、
前記ドロワーの開口された上側をカバーし、前記ドアの外周に沿って一定間隔で離隔して配置されるトップカバーと、
前記トップカバーと前記ドアの接触を防止するように、前記タブ又は前記タブに対向する構成に配置される緩衝部とを備えてなる、衣類処理装置。
【請求項２】
前記タブと前記緩衝部との間の間隔又は前記緩衝部と前記タブに対向する構成間の間隔は、前記トップカバーと前記ドアの間隔よりも狭く形成されてなる、請求項１に記載の衣類処理装置。
【請求項３】
前記タブと緩衝部または前記タブに対向する構成と緩衝部との間の間隔を狭める突出部材を更に備えてなる、請求項１に記載の衣類処理装置。
【請求項４】
前記突出部材は、前記緩衝部に比べて剛性の強い材質で構成されてなる、請求項３に記載の衣類処理装置。
【請求項５】
前記緩衝部は、前記タブの外周面に対向する前記ドロワーの内側面に配置されてなる、請求項１に記載の衣類処理装置。
【請求項６】
前記ドロワーと前記緩衝部との間に配置され、前記タブと前記緩衝部との間の間隔を狭める、請求項５に記載の衣類処理装置。
【請求項７】
前記緩衝部は、前記タブの外周面に配置される、請求項１に記載の衣類処理装置。
【請求項８】
前記緩衝部に対向するドロワーの内側に配置され、前記緩衝部と前記ドロワーとの間の間隔を狭める突出部材を備えてなる、請求項７に記載の衣類処理装置。
【請求項９】
前記緩衝部は、前記ドロワーの上側に締結される前記トップカバーの内側に配置される、請求項１に記載の衣類処理装置。
【請求項１０】
前記緩衝部は、
前記ドアの前方移動による前記トップカバーとの接触を防止する第１緩衝部と、
前記ドアの両側方向の移動による前記トップカバーとの接触を防止する第２緩衝部と、
前記ドアの前方と両側方向の間の方向への移動による前記トップカバーとの接触を防止する第３緩衝部とを備えてなる、請求項１に記載の衣類処理装置。
【請求項１１】
前記ドロワーは、前記タブをつるすサスペンションが連結されるように前記ドロワーの内側に突出形成されたドロワーブラケットを備えてなり、
前記第３緩衝部は、前記ドロワーブラケットに対向する前記タブの外周面に配置される、請求項１０に記載の衣類処理装置。
【請求項１２】
前記第１緩衝部と前記タブの間隔を狭める第１突出部材と、
前記第３緩衝部に対向する前記ドロワーブラケットの端部に配置される第２突出部材とを備えてなる、請求項１１に記載の衣類処理装置。
【請求項１３】
前記第１緩衝部と前記タブとの間の間隔Ｄ１'は、前記ドアの前方端部と前記トップカバーとの間の間隔Ｄ１よりも狭く形成（Ｄ１＞Ｄ１’）される、請求項１０に記載の衣類処理装置。
【請求項１４】
前記第２緩衝部と前記タブとの間の間隔Ｄ２’は、前記ドアの側端部と前記トップカバーとの間の間隔Ｄ２よりも狭く形成（Ｄ２＞Ｄ２’）される、請求項１０に記載の衣類処理装置。
【請求項１５】
前記第３緩衝部と前記第２突出部材との間の間隔Ｄ３’は、前記ドアの前方側端部と前記トップカバーとの間の間隔Ｄ３よりも狭く形成（Ｄ３＞Ｄ３’）される、請求項１２に記載の衣類処理装置。
【発明の詳細な説明】
【技術分野】
【０００１】
本発明は、衣類処理装置に関し、より詳細には、トップカバーとドアの接触を防止する衣類処理装置に関する。
〔関連出願〕
本願は、韓国特許出願１０−２０１７−０１８１３７１号に基づくパリ条約４条の優先権主張を伴ったものであり、当該韓国特許出願の出願内容は全て本願明細書の内容をなすものである。
【背景技術】
【０００２】
一般に、衣類処理装置は、水と洗剤の化学的分解作用と、水と洗濯物間の摩擦等物理的作用等を用いて、衣服、寝具等（以下、「洗濯物」と略称する）についた汚染物質を分離する装置を通称する。このような衣類処理装置は、洗濯物を収容するドラムが回転可能に設けられることを基本構造とし、前方面に備えられた投入口を介して衣類を装置に投入するフロントローディング方式と、装置の上部面に備えられた投入口を介して衣類を装置に投入するトップローディング方式とに区分できる。
【０００３】
トップローディング方式の衣類処理装置は、キャビネット、キャビネットの内部に備えられ、上部面に投入口が備えられたタブ、前記タブの内部に回転可能に備えられたドラム、前記投入口を開閉するドアを含むように備えられる。また、タブの上側には開口された上側を開閉するようにタブに連結されるドアと、ドアが配置される部分以外の部分でタブをカバーするトップカバーが配置されることができる。
【０００４】
トップカバーは、キャビネットの上側に取り付けられて固定されるが、ドアはタブに取り付けられるので、タブの振動によってドアが動き得る。ドアはタブの振動による動きでトップカバーに接触されることができ、このようなトップカバーとドアの接触は、トップカバー又はドアの外観を損傷させたり、騒音を発生させるという問題がある。
【発明の概要】
【発明が解決しようとする課題】
【０００５】
本発明が解決しようとする課題は、タブの振動にもドアとトップカバーとの間で発生する接触を防止する衣類処理装置を提供することにある。
【０００６】
本発明のまた別の課題は、タブの振動によって発生する騒音を最小化する衣類処理装置を提供することにある。
【０００７】
本発明の課題は、以上で言及した課題に制限されるものではなく、言及されていないまた別の課題は、下記の記載から当業者に明確に理解されることができる。
【課題を解決するための手段】
【０００８】
〔本発明の一態様〕
本発明の一の態様は以下の通りである。
〔１〕  衣類処理装置であって、
外形を形成し、一側面が開口されたキャビネットと、
前記キャビネットの開口された一側面に引き出し可能に配置され、上側が開口されたドロワーと、
前記ドロワーの内部に配置されて、洗濯水が貯蔵される空間を設けるタブと、
前記タブの内部に回転可能に備えられるドラムと、
前記タブの開口された上部面を開閉するドアと、
前記ドロワーの開口された上側をカバーし、前記ドアの外周に沿って一定間隔で離隔して配置されるトップカバーと、
前記トップカバーと前記ドアの接触を防止するように、前記タブ又は前記タブに対向する構成に配置される緩衝部とを備えてなる、衣類処理装置。
〔２〕  前記タブと前記緩衝部との間の間隔又は前記緩衝部と前記タブに対向する構成間の間隔は、前記トップカバーと前記ドアの間隔よりも狭く形成されてなる、〔１〕に記載の衣類処理装置。
〔３〕  前記タブと緩衝部または前記タブに対向する構成と緩衝部との間の間隔を狭める突出部材を更に備えてなる、〔１〕に記載の衣類処理装置。
〔４〕  前記突出部材は、前記緩衝部に比べて剛性の強い材質で構成されてなる、〔３〕に記載の衣類処理装置。
〔５〕  前記緩衝部は、前記タブの外周面に対向する前記ドロワーの内側面に配置されてなる、〔１〕に記載の衣類処理装置。
〔６〕  前記ドロワーと前記緩衝部との間に配置され、前記タブと前記緩衝部との間の間隔を狭める、〔５〕に記載の衣類処理装置。
〔７〕  前記緩衝部は、前記タブの外周面に配置される、〔１〕に記載の衣類処理装置。
〔８〕  前記緩衝部に対向するドロワーの内側に配置され、前記緩衝部と前記ドロワーとの間の間隔を狭める突出部材を備えてなる、〔７〕に記載の衣類処理装置。
〔９〕  前記緩衝部は、前記ドロワーの上側に締結される前記トップカバーの内側に配置される、〔１〕に記載の衣類処理装置。
〔１０〕  前記緩衝部は、
前記ドアの前方移動による前記トップカバーとの接触を防止する第１緩衝部と、
前記ドアの両側方向の移動による前記トップカバーとの接触を防止する第２緩衝部と、
前記ドアの前方と両側方向の間の方向への移動による前記トップカバーとの接触を防止する第３緩衝部とを備えてなる、〔１〕に記載の衣類処理装置。
〔１１〕  前記ドロワーは、前記タブをつるすサスペンションが連結されるように前記ドロワーの内側に突出形成されたドロワーブラケットを備えてなり、
前記第３緩衝部は、前記ドロワーブラケットに対向する前記タブの外周面に配置される、〔１０〕に記載の衣類処理装置。
〔１２〕  前記第１緩衝部と前記タブの間隔を狭める第１突出部材と、
前記第３緩衝部に対向する前記ドロワーブラケットの端部に配置される第２突出部材とを備えてなる、〔１１〕に記載の衣類処理装置。
〔１３〕  前記第１緩衝部と前記タブとの間の間隔Ｄ１'は、前記ドアの前方端部と前記トップカバーとの間の間隔Ｄ１よりも狭く形成（Ｄ１＞Ｄ１’）される、〔１０〕に記載の衣類処理装置。
〔１４〕  前記第２緩衝部と前記タブとの間の間隔Ｄ２’は、前記ドアの側端部と前記トップカバーとの間の間隔Ｄ２よりも狭く形成（Ｄ２＞Ｄ２’）される、〔１０〕に記載の衣類処理装置。
〔１５〕  前記第３緩衝部と前記第２突出部材との間の間隔Ｄ３’は、前記ドアの前方側端部と前記トップカバーとの間の間隔Ｄ３よりも狭く形成（Ｄ３＞Ｄ３’）される、〔１２〕に記載の衣類処理装置。
【０００９】
前記課題を達成するために、本発明に係る衣類処理装置は、外形を形成し、一側面が開口されたキャビネットと、前記キャビネットの開口された一側面に引き出し可能に配置され、上側が開口されたドロワーと、前記ドロワーの内部に配置されて、洗濯水が貯蔵される空間を設けるタブと、前記タブの内部に回転可能に備えられるドラムと、前記タブの開口された上部面を開閉するドアと、前記ドロワーの開口された上側をカバーし、前記ドアの外周に沿って一定間隔で離隔して配置されるトップカバーと、前記トップカバーと前記ドアの接触を防止するように、前記タブ又は前記タブと対向する構成に配置される緩衝部とを含み、トップカバーとドアが接触されることを防止することができる。
【００１０】
本発明に係る衣類処理装置の前記タブと前記緩衝部との間の間隔または前記緩衝部と前記タブに対向する構成間の間隔は、前記トップカバーと前記ドアの間隔よりも狭く形成され、トップカバーとドアが接触する前に緩衝部がタブまたはタブに対向する構成に接触することができる。
【００１１】
本発明に係る衣類処理装置の前記タブと緩衝部または前記タブに対向する構成と緩衝部との間の間隔を狭める突出部材をさらに含み、トップカバーとドアが接触する前に緩衝部がタブまたはタブに対向する構成に接触することができる。
【００１２】
具体的に、本発明に係る衣類処理装置は、トップカバーとドアの接触を防止するように、前記緩衝部は、前記タブの外周面に対向する前記ドロワーの内側面に配置されるか、又は前記タブの外周面に配置されるか、又は前記ドロワーの上側に締結される前記トップカバーの内側に配置されることができる。
【００１３】
また、本発明に係る衣類処理装置は、前記ドロワーと前記緩衝部との間に配置され、前記タブと前記緩衝部との間の間隔を狭めるか、又は前記緩衝部に対向するドロワーの内側に配置され、前記緩衝部と前記ドロワーとの間の間隔を狭める突出部材をさらに含むことができる。
【００１４】
本発明に係る衣類処理装置の前記緩衝部は、前記ドアの前方移動による前記トップカバーとの接触を防止する第１緩衝部と、前記ドアの両側方向の移動による前記トップカバーとの接触を防止する第２緩衝部と、前記ドアの前方と両側方向の間の方向への移動による前記トップカバーとの接触を防止する第３緩衝部とを含み、ドアとトップカバーとの接触を防止することができる。
【００１５】
また、前記ドロワーは、前記タブをつるすサスペンションが連結されるように前記ドロワーの内側に突出形成されたドロワーブラケットを含み、前記第３緩衝部は、前記ドロワーブラケットに対向する前記タブの外周面に配置される構造を有することができ、衣類処理装置は、前記第１緩衝部と前記タブの間隔を狭める第１突出部材と、前記第３緩衝部に対向する前記ドロワーブラケットの端部に配置される第２突出部材とを含み、ドアとトップカバーの接触を二次的に防止する。
【００１６】
本発明に係る衣類処理装置は、ドロワーパネルと第１緩衝部との間に第１突出部材が配置されることによって、第１緩衝部とタブとの間の間隔Ｄ１'は、ドアの前方部分とトップカバーとの間の間隔Ｄ１よりも狭く形成される（Ｄ１＞Ｄ１’）。
【００１７】
本発明に係る衣類処理装置は、トップカバーの締結リブに第２緩衝部が配されることによって、第２緩衝部とタブとの間の間隔Ｄ２’は、ドアの両側方部分とトップカバーとの間の間隔Ｄ２よりも狭く形成される（Ｄ２＞Ｄ２’）。
【００１８】
また、タブの外周面に第３緩衝部が配置され、ドロワーのドロワーブラケットの端部に第２突出部材が配置されることによって、タブの外周面に配置された第３緩衝部とドロワーブラケットの端部に配置された第２突出部材との間の間隔Ｄ３’は、ドアとトップカバーとの間の間隔Ｄ３よりも狭く形成される（Ｄ３＞Ｄ３’）。
【００１９】
その他の実施例の具体的な事項は詳細な説明及び図面に含まれている。
【発明の効果】
【００２０】
本発明の衣類処理装置に係ると、次のような効果が一つ又はそれ以上ある。
【００２１】
第一に、本発明に係る衣類処理装置は、ドアとトップカバーが接触される前に緩衝部がタブまたはタブに対向する構成と当接し、ドアやトップカバーの外形が損傷されない衣類処理装置を提供することができるという利点がある。
【００２２】
第二に、本発明に係る衣類処理装置は、ドアとトップカバーが接触されないため、ドアやトップカバーの接触による騒音が減るという利点もある。
【００２３】
本発明の効果は、以上で言及した効果に制限されるものではなく、言及されていないまた別の効果は、請求範囲の記載から当業者に明確に理解されるべきである。
【図面の簡単な説明】
【００２４】
【図１】本発明の一実施例に係る衣類処理装置の斜視図である。
【図２】本発明の一実施例に係る第１衣類処理装置の斜視図である。
【図３】本発明の一実施例に係る第１衣類処理装置のドロワーが引き出された状態の斜視図である。
【図４】本発明の一実施例に係る第１衣類処理装置の断面図である。
【図５】本発明の一実施例に係るドロワーとドロワーの内部に配置される構成の分解図である。
【図６】本発明の一実施例に係るドロワーの平面図である。
【図７】本発明の一実施例に係るドロワーのドアが開放された状態の図である。
【図８】本発明の一実施例に係るドロワーボディとタブの構成を示す平面図である。
【図９】図６のＩＸ−ＩＸ’を切り取った断面図である。
【図１０】図６のＸ−Ｘ’を切り取った断面図である。
【図１１】図６のＸＩ−ＸＩ’を切り取った断面図である。
【発明を実施するための形態】
【００２５】
本発明の利点及び特徴、並びにそれらを達成する方法は、添付されている図と共に詳細に後述されている実施例を参照にすると明確になる。しかし、本発明は、以下で開示される実施例に限定されるものではなく、互いに異なる多様な形態で具現されることができ、単に本実施例は、本発明の開示が完全になるようにし、本発明が属する技術分野で通常の知識を有する者に発明の範疇を完全に知らせるために提供されるものであり、本発明は、請求項の範疇によって定義されるだけである。明細書全体にわたって、同一の参照符号は同一の構成要素を指す。
【００２６】
以下で言及される「前Ｆ／後Ｒ／左Ｌｅ／右Ｒｉ／上Ｕ／下Ｄ」などの方向を指す表現は、図に表されたところによって定義するが、これはあくまでも本発明が明確に理解されるように説明するためのものであり、基準をどこに置くかによって各方向を異なって定義することもできることはもちろんである。
【００２７】
以下、本発明の実施例によって衣類処理装置を説明するための図を参考として、本発明について説明する。
【００２８】
＜第１衣類処理装置と第２衣類処理装置＞
図１は、本発明の一実施例に係る衣類処理装置の斜視図である。
【００２９】
本発明の衣類処理装置は、衣類の洗い、すすぎ、脱水、または乾燥のような衣類処理機能を具現する装置であって、第１衣類処理装置１００だけで備えられるか、または第１衣類処理装置１００と第１衣類処理装置の上部に位置する第２衣類処理装置１０を含むように備えられることもできる。
【００３０】
図１を参照すると、本実施例に係る衣類処理装置は、第１衣類処理装置１００の上側に第２衣類処理装置１０が配置されることができる。但し、これは、一つの実施例であって、第１衣類処理装置１００のみが独立に備えられることも可能である。
【００３１】
第２衣類処理装置１０は、外観を形成する第２キャビネット２０と、第２キャビネット２０の前方を開閉する第２ドア３０とを含むことができる。また、本実施例に係る第２衣類処理装置１０は、第２キャビネット２０の内部に配置され、洗濯水が貯蔵される空間を設ける第２タブ（図示せず）、第２タブの内部に回転可能に備えられ、洗濯物が貯蔵される空間を提供する第２ドラム（図示せず）、第２タブに洗濯水を供給する第２給水部（図示せず）、及び第２タブに貯蔵された洗濯水を第２キャビネット２０の外部に排出させる第２排水部（図示せず）を含むことができる。
【００３２】
＜第１衣類処理装置＞
図２は、本発明の一実施例に係る第１衣類処理装置の斜視図である。図３は、 本発明の一実施例に係る第１衣類処理装置のドロワーが引き出された状態の斜視図である。図４は、本発明の一実施例に係る第１衣類処理装置の断面図である。図５は、本発明の一実施例に係るドロワーとドロワーの内部に配置される構成の分解図である。図６は、本発明の一実施例に係るドロワーの平面図である。図７は、本発明の一実施例に係るドロワーのドアが開放された状態の図である。図８は、本発明の一実施例に係るドロワーボディとタブの構成を示す平面図である。図９は、図６のＩＸ−ＩＸ’を切り取った断面図である。図１０は、図６のＸ−Ｘ’を切り取った断面図である。図１１は、図６のＸＩ−ＸＩ’を切り取った断面図である。
【００３３】
以下では、図２乃至図１１を参照として、本発明の実施例に係る第１衣類処理装置（以下「衣類処理装置」）を説明する。
【００３４】
本実施例に係る衣類処理装置は、外形を形成し、一側面が開口されたキャビネット１１０と、前記キャビネット１１０の開口された一側面に引き出し可能に配置され、上側が開口されたドロワー１２０と、前記ドロワー１２０の内部に配置されて、洗濯水が貯蔵される空間を設けるタブ１７０と、前記タブ１７０の内部で回転可能に備えられたドラム２１０と、前記タブの開口された上部面を開閉するドア１９０と、前記ドロワー１２０の開口された上側をカバーし、前記ドア１９０の外周に沿って一定間隔で離隔配置されるトップカバー１４０と、前記トップカバー１４０と前記ドアの接触を防止するように、前記タブ１７０または前記タブ１７０と対向する構成に配置される緩衝部とを含む。
【００３５】
本実施例に係る衣類処理装置１００は、タブ１７０のドロワー１２０につるす複数のサスペンション１３６をさらに含むことができる。サスペンション１３６の一端は、ドロワー１２０の内側上部に連結され、他端はタブ１７０の外側下部に結合されることができる。
【００３６】
本実施例に係るキャビネット１１０は、衣類処理装置の外観を形成する。本実施例に係るキャビネット１１０は、内部にドロワー１２０が収容される空間が形成される。本実施例に係るキャビネット１１０は、前方Ｆが開口されたボックス形態を有することができる。
【００３７】
本実施例に係るキャビネット１１０は、後方面に以下で説明する給水部２４０または排水部２５０の一部構成が貫通する貫通ホールが形成されることができる。本実施例に係るキャビネット１１０は、下部面に別途のベース１２６が取り付けられることができる。
【００３８】
本実施例に係るドロワー１２０は、キャビネット１１０の開口された前方面に引き出し可能に配置される。本実施例に係るドロワー１２０は、キャビネット１１０の内部に収容されたり、一部がキャビネット１１０の前方Ｆに引き出されるように配置されることができる。
【００３９】
本実施例に係るドロワー１２０は、内部にタブ１７０が収容される空間を形成し、上面が開口されるように形成される。本実施例に係るドロワー１２０は、キャビネット１１０の内側面に沿って移動可能に配置される。本実施例に係るドロワー１２０は、タブ１７０が収容される空間を形成し、キャビネットの内部に挿入されるドロワーボディ１２２と、ドロワーボディ１２２の前面に配置されて、キャビネット１１０の開放された前面を開閉するドロワーパネル１２４とを含む。
【００４０】
本実施例に係るドロワーボディ１２２の内側には、サスペンション１３６が連結されるドロワーブラケット１３０が形成される。ドロワーブラケット１３０は、ドロワーボディ１２２の内側上部に突出形成される。本実施例に係るドロワーブラケット１３０は、ドロワーボディ１２２の内側角部分のそれぞれで４つが配置される。ドロワーブラケット１３０は、タブ１７０の中心方向に突出形成される。
【００４１】
本実施例に係るドロワーブラケット１３０は、サスペンション１３６の一側が挿入されて支持される上下方向に開口されたサスペンションホール１３２が形成される。本実施例に係るドロワーブラケット１３０は、サスペンション１３６がサスペンションホール１３２に取り付けられるように一側方向に切開された切開溝１３４が形成される。
【００４２】
本実施例に係るドロワーパネル１２４は、一部面においてキャビネット１１０の前方縁部１１２と対向するように配置される。本実施例に係るドロワーパネル１２４は、ドロワーボディ１２２の前方面に配置される。本実施例に係るドロワーパネル１２４は、一部面でキャビネット１１０の前方縁部１１２と当接し、ドロワーボディ１２２の後方Ｒ移動を制限することができる。
【００４３】
本実施例に係るドロワーパネル１２４には、衣類処理装置１００の作動に関する制御命令を入力したり、作動に関する内容を出力するコントロールパネル１２８が備えられることができる。
【００４４】
本実施例に係るトップカバー１４０は、ドロワーボディ１２２の上側に配置される。本実施例に係るトップカバー１４０は、衣類の出入りのために開口された出入りホール１４２が形成される。本実施例に係るトップカバー１４０は、以下で説明するドア１９０の外周に沿って一定間隔で離隔して配置される。本実施例に係るタブ１７０に連結されるドア１９０は、タブ１７０の振動によって、一緒に振動できる。トップカバー１４０は、ドア１９０の外周に沿って一定間隔で離隔配置され、タブ１７０の一定水準以下の振動に備えることができる。また、本実施例に係るトップカバー１４０は、給水部２４０の一側が貫通する給水貫通ホール１４４が形成されることができる。
【００４５】
本実施例に係るトップカバー１４０の前方にはタブ１７０に洗剤などを投入するように形成された少なくとも一つの洗剤投入部１５４が形成されることができる。本実施例に係る洗剤投入部１５４は、ドロワー１２０がキャビネット１１０から引き出されるとき、使用者に隣接した前方の両側にそれぞれ配置されることができる。本実施例に係る洗剤投入部１５４は、トップカバー１４０の前方角部分にそれぞれ配置されることができる。本実施例に係る洗剤投入部１５４は、トップカバー１４０で下側方向に窪んで形成された投入ボール１５６を含み、投入ボール１５６の一側にはタブ１７０に洗剤などが流入する投入ホール158が形成される。本実施例に係るトップカバー１４０は、投入ボール１５６の貯蔵空間を確保するようにドロワーボディ１２２の上側に突出形成されることができる。
【００４６】
洗剤投入部１５４は、洗剤投入管１６０でタブ１７０と連結される。従って、洗剤投入部１５４に投入された洗剤などは、洗剤投入管１６０を通じてタブ１７０の内部に供給される。
【００４７】
本実施例に係るトップカバー１４０の外側縁部分には、ドロワー１２０と締結される締結リブ１５２が形成される。本実施例に係るトップカバー１４０は、前方でドロワーパネル１２４と締結され、両側方Ｌｅ、Ｒｉと、後方Ｒでドロワーボディ１２２と締結される。本実施例に係るトップカバー１４０の両側方と、後方端部は、ドロワーボディ１２２方向に折り曲げられ、ドロワーボディ１２２と締結される締結リブ１５２が形成される。
【００４８】
本実施例に係るトップカバー１４０は、ドア１９０以外の部分でタブ１７０の上側をカバーする。本実施例に係るトップカバー１４０は、ドロワー１２０の上側で平らに形成されたトップ部１４６、トップ部１４６で下側に折り曲げられ、ドア１９０方向に凹んで湾曲する湾曲部１４８を含む。
【００４９】
本実施例に係るトップカバー１４０は、トップ部１４６が以下で説明するドア１９０のドアパネル１９２に一定間隔で離隔配置される。本実施例に係るトップ部１４６は、ドアパネル１９２と略同一の高さで形成され、一定間隔で離隔配置される。本実施例に係るトップカバー１４０のトップ部１４６は、ドアパネル１９２と略同一の高さで形成され、洗剤投入部１５４の投入ボール１５６が投入される洗剤などを一時的に貯蔵することができる空間を確保することができる。
【００５０】
本実施例に係る湾曲部１４８は、ドアパネル１９２の下側方向に湾曲し、ドアパネル１９２の下側に配置され、タブ１７０の上側をカバーする。
【００５１】
本実施例に係るタブ１７０は、衣類を処理するように洗浄水が入る空間を形成する。本実施例に係るタブ１７０は、ドロワー１２０の内部に配置される。本実施例に係るタブ１７０は、内部が中空であり、上側が一部開口された円筒状を有する。
【００５２】
本実施例に係るタブ１７０は、水が入る空間を形成し、上側が開口されたタブボディ１７２と、タブボディ１７２の上部面を形成するタブカバー１７４タブカバー１７６を含む。
【００５３】
本実施例に係るタブボディ１７２は、上側が開口された円筒状を有する。タブボディ１７２の下側では、タブ１７０に貯蔵された洗濯水が排水される排水部２５０と連結される。タブボディ１７２の外周には、サスペンション１３６が連結されるタブブラケット１７４が形成される。
【００５４】
タブブラケット１７４は、タブの周面の下部に配置される。本実施例に係るタブブラケット１７４は、複数のドロワーブラケット１３０に対応する位置にそれぞれ配置される。サスペンション１３６は、タブブラケット１７４とドロワー１２０のドロワーブラケット１３０に連結され、タブ１７０をドロワー１２０と連結する。
【００５５】
本実施例に係るタブカバー１７４タブカバー１７６には、タブボディ１７２の内部を外部と連通させる衣類投入口１７８が形成される。衣類投入口１７８は、トップカバー１４０に形成された出入りホール１４２の下側に形成されることができる。本実施例に係るタブカバー１７４タブカバー１７６には、タブボディ１７２の内部に水を供給する給水口１８０が形成される。給水口１８０は、トップカバー１４０に形成された給水貫通ホール１４４の下側に配置されることができる。
【００５６】
タブカバー１７４タブカバー１７６の衣類投入口１７８の上側には衣類投入口１７８を開閉するドア１９０が配置される。
【００５７】
本実施例に係るドア１９０は、タブカバー１７４タブカバー１７６の上側に回動可能に配置される。本実施例に係るドア１９０は、タブカバー１７４タブカバー１７６の上側にヒンジ固定される。本実施例に係るドア１９０は、タブカバー１７４タブカバー１７６の衣類投入口１７８を開放し、タブボディ１７２の内部を外部と連通させたり、タブカバー１７４タブカバー１７６の衣類投入口１７８を閉鎖し、タブ１７０の内部の水が外部に漏れないように密閉することができる。
【００５８】
本実施例に係るドア１９０は、タブ１７０の開口された上側をカバーするドアパネル１９２と、ドア１９０がタブ１７０の衣類投入口１７８を閉鎖するとき、タブ１７０とドア１９０との間を密閉するシーリング部材１９４と、ドアパネル１９２をタブ１７０にヒンジ固定し、一側にシーリング部材１９４が取り付けられる連結部材１９６とを含む。本実施例に係るドア１９０は、ドアパネル１９２の一側に配置され、ドアパネル１９２をタブカバー１７４タブカバー１７６の一側にヒンジ固定するヒンジ部１９８をさらに含むことができる。ヒンジ部１９８は、連結部材１９６の後方一側に配置されることができる。
【００５９】
本実施例に係るドア１９０は、ドア１９０がタブ１７０の衣類投入口１７８を閉鎖するとき、ドア１９０のタブ１７０の一側に固定させる固定部材２００をさらに含むことができる。本実施例に係る固定部材２００は、連結部材１９６の前方に配置される。固定部材２００は、押すことによってロック及びロック解除が行われるワンタッチクリックボタンを使用することができる。
【００６０】
本実施例に係るドアパネル１９２は、タブカバー１７４タブカバー１７６の衣類投入口１７８を開閉することができる。本実施例に係るドアパネル１９２は、タブカバー１７４タブカバー１７６の衣類投入口１７８が形成された面積よりも大きく形成される。
【００６１】
本実施例に係るシーリング部材１９４は、ドアパネル１９２の下側に配置される。本実施例に係るシーリング部材１９４は、ドア１９０がタブカバー１７４タブカバー１７６の衣類投入口１７８を閉めるとき、ドアパネル１９２とタブカバー１７４タブカバー１７６の間を密閉する。
【００６２】
本実施例に係るドラム２１０は、タブ１７０の内部で回転可能に配置される。本実施例に係るドラム２１０は、上側が開口された円筒状を有する。ドラム２１０の開口された上側は、タブ１７９の衣類投入口１７８の下側に配置される。本実施例に係るドラム２１０は、駆動部２２０による回転時、洗濯物の偏心による過振動を防止するバランサー２１６を含むことができる。
【００６３】
本実施例に係るドラム２１０は、底面と円周面にドラム２１０の内部とタブ１７０を連通させる複数の連通ホール２１２が形成される。ドラム２１０は、駆動部２２０によりタブ１７０の内部で回転する。本実施例に係るドラム２１０の底面には、ドラムの回転時、水流を形成する底面から突出した少なくとも一つの洗濯突起部２１４が形成される。
【００６４】
本実施例に係る駆動部２２０は、固定子２２２と、固定子が提供する回転磁界により回転する回転子２２４と、回転子２２４の回転力をドラム２１０に伝達する回転軸２２６とを含む。
【００６５】
本実施例に係る衣類処理装置は、タブ１７０に水を供給する給水部２４０と、タブ１７０に貯蔵された洗濯水を外部に排出する排水部２５０をさらに含む。
【００６６】
本実施例に係る給水部２４０は、タブカバー１７４タブカバー１７６の給水貫通ホール１４４に連結される給水管２４２と、給水管２４２に水を供給したり遮断する給水弁２４４とを含む。本実施例に係る給水管２４２は、タブ１７０の振動によって、給水管２４２がタブ１７０から分離されることを防止したり、ドロワー１２０を引き出すとき、長さが調整されるように一部区間でコルゲート管が形成されることができる。本実施例に係るトップカバー１４０には、ドロワー１２０が引き出されるとき、給水管２４２の一部が外部に露出することを防止する給水口カバー１５０をさらに含むことができる。
【００６７】
本実施例に係る排水部２５０は、タブ１７０の下側に配置され、排水流路を形成する排水管２５２と、排水流路を流動する洗濯水を衣類処理装置１００の外部にポンプする排水ポンプ２５４を含むことができる。排水部２５０は、タブ１７０とドロワー１２０との間に配置されることができる。本実施例に係る排水管２５２は、タブ１７０の振動によって排水管２５２がタブ１７０から分離されることを防止したり、ドロワー１２０を引き出すとき、長さが調整されるように一部区間でコルゲート管が形成されることができる。
【００６８】
＜ドアとトップカバーとの関係＞
本実施例に係るトップカバー１４０は、ドア１９０の外周に沿って一定間隔で離隔配置される。本実施例に係るドア１９０は、ドアパネル１９２の縁部分でトップカバー１４０のトップ部１４６と隣接して配置される。本実施例に係るドア１９０は、前方端部と両側端部で前後Ｆ−Ｒおよび左右Ｌｅ−Ｒｉ方向にトップカバー１４０と最も隣接して配置される。
【００６９】
本実施例に係る緩衝部は、タブ１７０の振動によるドア１９０の移動により、ドア１９０がトップカバー１４０に接触されることを防止する。本実施例に係る緩衝部は、タブ１７０の外周またはタブ１７０に対向する構成に配置される。タブ１７０に対向する構成とは、タブ１７０の外周部において一定間隔で離隔して配置されるドロワー１２０またはドロワー１２０の上側に締結されるトップカバー１４０の内側面が該当し得る。
【００７０】
本実施例に係る衣類処理装置１００は、タブ１７０と緩衝部３００、３０２との間の間隔Ｄ１、Ｄ２、又はタブ１７０に対向する構成１２０と緩衝部３０４との間の間隔Ｄ３が、ドア１９０とトップカバー１４０との間の間隔Ｄ１’、Ｄ２’、Ｄ３’よりも小さい間隔を維持する。
【００７１】
本実施例に係る緩衝部３００、３０２、３０４は、外力によって形態が変形し、外部の衝撃を減衰または吸収する材質を用いてもよい。本実施例に係る緩衝部は、タブ１７０とドロワー１２０の接触による衝撃を減衰または吸収することによって、タブ１７０の振動によって発生する騒音を低減することができる。
【００７２】
本実施例に係る衣類処理装置１００のタブ１７０と緩衝部３００、３０２との間の間隔Ｄ１、Ｄ２、又はタブ１７０に対向する構成１２０と緩衝部３０４との間の間隔Ｄ３は、緩衝部３００、３０２、３０４が変形しても、ドア１９０とトップカバー１４０との間の間隔よりも小さい間隔を有するように形成される。
【００７３】
図９を参照すると、本実施例に係る緩衝部３００は、タブ１７０の外周面に対向するドロワー１２０の内側面に配置されることができる。本実施例に係る緩衝部３００は、ドロワーパネル１２４の内側面に配置されることができる。
【００７４】
図１０を参照すると、本実施例に係る緩衝部３０２は、タブ１７０の外周面に対向するトップカバー１４０に配置されることができる。本実施例に係る緩衝部３０２は、トップカバー１４０の締結リブ１５２に配置されることができる。
【００７５】
図１１を参照すると、本実施例に係る緩衝部３０４は、タブ１７０の外周面に配置されることができる。
【００７６】
本実施例に係る緩衝部は、ドア１９０の前方Ｆ移動によるトップカバー１４０との接触を防止する第１緩衝部３００、ドア１９０の左右方向Ｌｅ−Ｒｉ移動によるトップカバー１４０との接触を防止する第２緩衝部３０２と、ドア１９０の前方Ｆと左右方向Ｌｅ−Ｒｉの間の方向への移動によるトップカバー１４０との接触を防止する第３緩衝部３０４とを含むことができる。
【００７７】
図８を参照すると、本実施例に係る第１緩衝部３００は、ドア１９０の前方部分がトップカバー１４０と接触することを防止する。本実施例に係る第１緩衝部３００は、タブ１７０の前方に配置されたドロワーパネル１２４の内側面に配置される。
【００７８】
図８を参照すると、本実施例に係る第２緩衝部３０２は、ドア１９０の両側方部分がトップカバー１４０と接触することを防止する。本実施例に係る第２緩衝部３０２は、タブ１７０の両側方に配置されたドロワーボディ１２２またはトップカバー１４０の内側に配置される。本実施例に係る第２緩衝部３０２は、トップカバー１４０の左側内側面と右側内側面にそれぞれ一対が配置されることができる。本実施例に係る第２緩衝部３０２は、ドロワーボディ１２２と締結されるトップカバー１４０の締結リブ１５２の一側に配置されることができる。
【００７９】
図８を参照すると、本実施例に係る第３緩衝部３０４は、ドア１９０の前方部分と両側方部分との間の前方の対角方向部分がトップカバー１４０と接触することを防止する。本実施例に係る第３緩衝部３０４は、タブ１７０の外周面に配置される。本実施例に係る第３緩衝部３０４は、ドロワー１２０の内側に形成されたドロワーブラケット１３０が対向するタブ１７０の外周面に配置される。タブ１７０の移動によって、ドロワーブラケット１３０の端部と第３緩衝部３０４が接触することができる。
【００８０】
本実施例に係る衣類処理装置１００は、タブ１７０と緩衝部との間の間隔、又はタブ１７０に対向する構成と緩衝部との間の間隔を狭める突出部材をさらに含むことができる。本実施例に係る突出部材は緩衝部と接触するように配置されるか、又は緩衝部に対向する構成に接触するように配置されることができる。本実施例に係る突出部材は、緩衝部に比べて剛性の強い材質で構成されることができる。従って、本実施例に係る突出部材は緩衝部と異なり、外力を受けても形態が変形しないため、タブ１７０またはタブ１７０に対向する構成との間隔が維持される材質を用いることができる。
【００８１】
図１１を参照すると、本実施例に係る突出部材３１２は、ドロワー１２０のドロワーブラケット１３０の端部に配置されることができる。本実施例に係る突出部材３１２は、タブ１７０が振動するとき、タブ１７０に配置された緩衝部３０４と接触することができる。
【００８２】
図９を参照すると、本実施例に係る突出部材３１０は、ドロワー１２０の内側面に配置されることができる。本実施例に係る突出部材３１０は、ドロワーパネル１２４の内側面に配置される。本実施例に係る突出部材３１０は、ドロワーパネル１２４と緩衝部３００との間に配置される。
【００８３】
本実施例に係る突出部材は、第１緩衝部３００とタブ１７０との間隔を狭める第１突出部材３１０と、第３緩衝部３０４に対向するドロワーブラケット１３０の端部に配置される第２突出部材３１２とを含むことができる。本実施例に係る第２突出部材３１２は、ドロワーブラケット１３０とタブ１７０との間隔を狭める。
【００８４】
図６と図８を参照すると、ドロワーパネル１２４と第１緩衝部３００との間に第１突出部材３１０が配置されることによって、第１緩衝部３００とタブ１７０との間隔Ｄ１’は、ドア１９０の前方部分とトップカバー１４０との間の間隔Ｄ１よりも狭く形成される（Ｄ１＞Ｄ１’）。トップカバー１４０の締結リブ１５２に第２緩衝部３０２が配置されることによって、第２緩衝部３０２とタブ１７０との間の間隔Ｄ２’は、ドア１９０の両側方部分とトップカバー１４０との間の間隔Ｄ２よりも狭く形成される（Ｄ２＞Ｄ２’）。
【００８５】
また、タブ１７０の外周面に第３緩衝部３０４が配置され、ドロワー１２０のドロワーブラケット１３０の端部に第２突出部材３１２が配置されることによって、タブ１７０の外周面に配置された第３緩衝部３０４とドロワーブラケット１３０の端部に配置された第２突出部材３１２との間の間隔Ｄ３’は、ドア１９０とトップカバー１４０との間の間隔Ｄ３よりも狭く形成される（Ｄ３＞Ｄ３’）。
【００８６】
以上、本発明の好ましい実施例について図示して説明したが、本発明は上述した特定の実施例に限定されず、特許請求範囲で請求する本発明の要旨を逸脱することなく、当該発明が属する技術分野における通常の知識を有する者によって多様な変形実施が可能であることは勿論であり、このような変形実施は、本発明の技術的思想や展望から個別的に理解されてはならない。
【符号の説明】
【００８７】
１０  第２衣類処理装置
１００  第１衣類処理装置
１１０  キャビネット
１２０  ドロワー
１２２  ドロワーボディ
１２４  ドロワーパネル
１３０  ドロワーブラケット
１４０  トップカバー
１５４  洗剤投入口
１６０  洗剤投入管
１７０  タブ
１７２  タブボディ
１７４  タブブラケット
１７６  タブカバー
１９０  ドア
２１０  ドラム
２２０  駆動部
２３０  サスペンション
２４０  給水部
２５０  排水部
３００  緩衝部、第１緩衝部
３０２  緩衝部、第２緩衝部
３０４  緩衝部、第３緩衝部
３１０  突出部材、第１突出部材
３１２  突出部材、第２突出部材
【図１】
2019118823.tif 000003
【図２】
2019118823.tif 000004
【図３】
2019118823.tif 000005
【図４】
2019118823.tif 000006
【図５】
2019118823.tif 000007
【図６】
2019118823.tif 000008
【図７】
2019118823.tif 000009
【図８】
2019118823.tif 000010
【図９】
2019118823.tif 000011
【図１０】
2019118823.tif 000012
【図１１】
2019118823.tif 000013